(57)【要約】【課題】フィルター清掃の際、フィルターで捕捉した塵埃等が室内側へこぼれ落ちるのを防ぎ、また、フィルターの掃除性を向上した換気装置の提供する。【解決手段】本体枠内に給気ファンとこの給気ファンを駆動する電動機を設けて、給気風路を形成し、前記給気風路内に外気中の塵埃等を補足するフィルターユニットを設けた換気装置であって、前記フィルターユニットは折り目方向を縦方向に形成したフィルターとこのフィルター下方に設けてフィルターから落下する塵埃等を受ける容器とからなる構成とする。【選択図】図1
2006242493.tif 000002
【特許請求の範囲】
【請求項１】
本体枠内に給気ファンとこの給気ファンを駆動する電動機を設けて、給気風路を形成し、前記給気風路内に外気中の塵埃等を補足するフィルターユニットを設けた換気装置であって、前記フィルターユニットは折り目方向を縦方向に形成したフィルターとこのフィルター下方に設けてフィルターから落下する塵埃等を受ける容器とからなることを特徴とする換気装置。
【請求項２】
本体枠内に給気ファンとこの給気ファンを駆動する電動機を設けて、給気風路を形成し、前記給気風路内に外気中の塵埃等を補足するフィルターユニットを設けた換気装置であって、前記フィルターユニットは外気中の大き目の塵埃等を捕捉するプレフィルターおよび微細な塵埃等を捕捉する高性能フィルターを並べたフィルターと前記プレフィルターの下方に設けてフィルターから落下する塵埃等を受ける容器とからなることを特徴とする換気装置。
【請求項３】
フィルターユニットを給気ファンより上流側に設けた請求項１または２記載の換気装置。
【請求項４】
フィルターユニットを給気風路の本体外気吸入口近傍に設けた請求項１または２記載の換気装置。
【請求項５】
フィルターを塵埃受け容器に一体に形成した枠体に着脱自在に設けた請求項１または２記載の換気装置。
【請求項６】
枠体から塵埃受け容器部を着脱自在とした請求項５記載の換気装置。
【請求項７】
フィルター枠体にフィルターの折り目方向と直交する方向にフィルター押え部が設けられた請求項５または６の記載の換気装置。
【請求項８】
塵埃受け容器に、前記塵埃受け容器の開口部に内側に向けて突壁を設けた請求項５または６記載の換気装置。
【請求項９】
塵埃受け容器を透明材料によって形成した請求項５、または６、または７記載の換気装置。
【発明の詳細な説明】
【技術分野】
【０００１】
本発明は室内への給気機能を有した換気装置のフィルター構造に関するものである。
【背景技術】
【０００２】
従来、この種の換気装置のフィルター構造としては、換気装置本体の下面開口部から内部に挿脱自在にされることを特徴とするものが知られている（例えば、特許文献１参照）。
【０００３】
以下、そのフィルター構造について図５を参照しながら説明する。
【０００４】
図に示すように、換気装置本体１０１の下面開口部１０２から内部に挿脱自在にフィルター１０３が挿入されている。
【特許文献１】実開昭６４−４４０１４号公報（実願昭６２−１３６８９２号のマイクロフィルム（第２頁、第１図））
【発明の開示】
【発明が解決しようとする課題】
【０００５】
しかしながら、前記従来の構成では、フィルター清掃のために本体からフィルターを引き出す際、フィルターで捕捉した塵埃等が室内側へこぼれ落ちるという課題があった。
【０００６】
また、フィルターで捕捉した塵埃等の掃除が困難という課題があった。
【０００７】
本発明は、前記従来の課題を解決するもので、フィルター清掃の際、フィルターで捕捉した塵埃等が室内側へこぼれ落ちるのを防ぎ、また、フィルターの掃除性を向上して、機器性能を維持できる換気装置の提供することを目的とする。
【課題を解決するための手段】
【０００８】
前記従来の課題を解決するために、本発明の換気装置は、フィルターユニットを、折り目方向を縦方向に形成したフィルターとこのフィルター下方に設けてフィルターから落下する塵埃等を受ける容器とからなる構成としたことを特徴としたものである。
【０００９】
本構成によって、フィルターの折り目に引掛かり残留する塵埃等が低減し、フィルターから落下した塵埃等は容器で受けられることになる。
【００１０】
また、本発明の換気装置は、前記フィルターユニットを外気中の大き目の塵埃等を捕捉するプレフィルターおよび微細な塵埃等を捕捉する高性能フィルターを並べたフィルターと前記プレフィルターの下方に設けてフィルターから落下する塵埃等を受ける容器とからなる構成としたことを特徴としたものである。本構成によって、プレフィルターで大き目の塵埃等を捕捉するため、高性能フィルターに付着する塵埃等を減らすことができ、さらにプレフィルターから落下した塵埃等は容器で受け受けられることになる。
【００１１】
また、本発明の換気装置は、前記フィルターユニットを給気ファンより上流側に設けたものである。本構成によって、給気ファンへの塵埃等の付着を防ぐことができる。
【００１２】
また、本発明の換気装置は、前記フィルターユニットを給気風路の本体外気吸入口近傍に設けたものである。本構成によって、本体内部への塵埃等の侵入および付着を防ぐことができる。
【００１３】
また、本発明の換気装置は、前記フィルターを塵埃受け容器に一体に形成した枠体に着脱自在に設けたものである。本構成によって、フィルターユニットでのフィルターのみの交換が可能となる。
【００１４】
また、本発明の換気装置は、枠体から塵埃受け容器部を着脱自在としたものである。本構成によって、塵埃受け容器を取り外して洗浄することができるので、狭小部まで洗浄することが可能となる。
【００１５】
また、本発明の換気装置は、前記フィルター枠体にフィルターの折り目方向と直交する方向にフィルター押え部が設けられたものである。本構成によって、フィルターの折り目による伸縮によりフィルターの変形を利用して容易にフィルターを着脱することができる。
【００１６】
また、本発明の換気装置は、塵埃受け容器の開口部に内側に向けて突壁を設けたものである。本構成によって、フィルターユニットを本体から外す場合に傾いても、捕捉した塵埃等が塵埃受け容器からこぼれ落ちにくくなる。
【００１７】
また、本発明の換気装置は、塵埃受け容器を透明材料によって形成したものである。本構成によって、塵埃等の捕捉程度を本体外から視覚で確認できる。
【発明の効果】
【００１８】
本発明の換気装置によれば、フィルターの折り目に引掛かり残留する塵埃等を減らし、フィルターから落下した塵埃等を容器で受け取るため、掃除性を向上することができる（請求項１、２）。
【００１９】
また本発明の換気装置によれば、上流側に設けたフィルターが給気ファンへの塵埃等の付着を防ぐことができるため、給気風量を維持して機器性能を維持できる（請求項３）。
【００２０】
また本発明の換気装置によれば、本体内部への塵埃等の侵入および付着を防ぐことができるため本体を長寿命化して機器性能を維持できる（請求項４）。
【００２１】
また本発明の換気装置によれば、定期的にフィルターを簡単に交換して機器性能を維持できる（請求項５）。
【００２２】
また本発明の換気装置によれば、塵埃受け容器を取り外して狭小部まで洗浄することが可能となり、掃除性を向上することができる（請求項６）。
【００２３】
また本発明の換気装置によれば、容易にフィルターを着脱することができ、フィルターの着脱性を向上することができる（請求項７）。
【００２４】
また本発明の換気装置によれば、フィルター清掃の際室内に塵埃等のこぼれ落ちを防ぎ、室内を汚すことを防ぐことができる（請求項８）。
【００２５】
また本発明の換気装置によれば、塵埃等の捕捉程度を本体外から視覚で確認でき、性能維持のためのフィルターの掃除時期を容易に把握することができる（請求項９）。
【発明を実施するための最良の形態】
【００２６】
本発明の請求項１に記載の発明は、本体枠内に給気ファンとこの給気ファンを駆動する電動機を設けて、給気風路を形成し、前記給気風路内に外気中の塵埃等を補足するフィルターユニットを設けた換気装置であって、前記フィルターユニットは折り目方向を縦方向に形成したフィルターとこのフィルター下方に設けてフィルターから落下する塵埃等を受ける容器とからなることを特徴とする換気装置であり、運転停止により風圧が変動したりフィルターユニットを外す際の振動でフィルター面から大きな塵埃等が剥離してフィルターの折り目に引掛かり残留すること減らし、さらにフィルターから落下した塵埃等を容器で受け取る作用を有し、フィルターお手入れの際室内への塵埃等のこぼれ落ちを防ぎ、掃除性を向上することができる。
【００２７】
請求項２に記載の発明は、本体枠内に給気ファンとこの給気ファンを駆動する電動機を設けて、給気風路を形成し、前記給気風路内に外気中の塵埃等を補足するフィルターユニットを設けた換気装置であって、前記フィルターユニットは外気中の大き目の塵埃等を捕捉するプレフィルターおよび微細な塵埃等を捕捉する高性能フィルターを並べたフィルターと前記プレフィルターの下方に設けてフィルターから落下する塵埃等を受ける容器とからなることを特徴とする換気装置であり、プレフィルターで大き目の塵埃等を捕捉するため、高性能フィルターに引っ掛かり残留する塵埃等を減らすことができ、さらにプレフィルターから落下した塵埃等を容器で受け取るため、フィルターお手入れの際室内への塵埃等のこぼれ落ちを防ぎ、掃除性を向上することができる。
【００２８】
請求項３に記載の発明は、請求項１または２記載の換気装置のフィルターユニットを給気ファンより上流側に設けたもので、給気ファンへの塵埃等の付着を防ぐことができるため、給気風量を維持することができる。
【００２９】
請求項４に記載の発明は、請求項１または２記載の換気装置のフィルターユニットを給気風路の本体外気吸入口近傍に設けたもので、本体内部への塵埃等の侵入および付着を防ぐことができるため本体を長寿命化することができる。
【００３０】
請求項５に記載の発明は、請求項１または２記載の換気装置のフィルターを塵埃受け容器に一体に形成した枠体に着脱自在に設けたもので、枠体から外してフィルターの交換が可能となり、定期的にフィルターを交換できるため性能を維持することができる。
【００３１】
請求項６に記載の発明は、請求項５記載の換気装置の枠体から塵埃受け容器部を着脱自在としたもので、塵埃受け容器を取り外して洗浄することができ、狭小部まで洗浄することが可能となり、掃除性を向上することができる。
【００３２】
請求項７に記載の発明は、請求項５または６記載の換気装置のフィルター枠体にフィルターの折り目方向と直交する方向にフィルター押え部が設けられたもので、フィルターの折り目による伸縮を利用し、容易にフィルターを着脱することができ、フィルターの着脱性を向上することができる。
【００３３】
請求項８に記載の発明は、請求項５または６記載の換気装置の塵埃受け容器に、前記塵埃受け容器の開口部に向けて突壁を設けたもので、塵埃受け容器が傾いても捕捉した塵埃等がこぼれ落ちにくくなり、フィルターお手入れの際室内に塵埃等のこぼれ落ちを防ぎ、室内を汚すことを防ぐことができる。
【００３４】
請求項９に記載の発明は、請求項５または６記載の換気装置の塵埃受け容器を透明材料によって形成したもので、塵埃等の捕捉程度を視覚で確認でき、性能維持のためのフィルターの掃除時期を容易に把握することができる。
【００３５】
以下本発明を実施するための最良の形態について、図面を参照しながら説明する。
【００３６】
（実施の形態１）
図１は本発明の実施の形態１における換気装置の斜視図であり、図２は本体中心部での略断面図である。図１および図２に示すように、本発明の換気装置は、居室内の天井壁１に設けられる開口から挿入されて天井裏内に納められるように設置された箱状の本体２内に給気ファン３とこの給気ファンを駆動する電動機４が設けてある。前記箱状の本体２の側壁には給気用吸込み口５を有し、ダクト接続部６を介してダクト７と接続されて屋外と連通している。前記本体２には、室内側であって下面に設けられた室内との通風のための給気用吹出し口８を設け、この給気用吹出し口８は内部に給気ファン３を有する給気用ケーシング９の給気用ケーシング吹出し口１０を介して本体２の側壁に設けた給気用吸込み口５に連通させ、給気風路を形成し、給気用吸込み口５近傍に外気中の塵埃等を捕捉するフィルターユニット１１を設け、フィルターユニット１１は室内側より引き出し自在な構成とする。
【００３７】
また、図３は前記フィルターユニット１１の構成を示す斜視図であり、図３に示すように、前記フィルターユニット１１は、フィルターの有効面積を大きくするために蛇腹に折りたたんだ折り目方向を縦方向に形成したフィルター１２とこのフィルター１２の下方に設けてフィルター１２から落下する塵埃等を受ける塵埃受け容器１３とからなる構成とし、フィルター１２および塵埃受け容器１３はフィルター枠体１４に着脱自在に設けられ、フィルター枠体１４にはフィルター１２の折り目と直交する方向にフィルター押さえ部１５を設け、塵埃受け容器１３の開口部に内側に向けて突壁１６を設けている。なお、塵埃受け容器１３の突壁１６を設けた面を構成する部分のみがフィルター枠体１４から着脱できるようにしていても構わない（図省略）。
【００３８】
また、フィルター枠体１４および塵埃受け容器１３は透明材料によって形成されている。
【００３９】
上記構成において、本発明の換気装置を運転すると、給気ファン３により外気がダクト７を通って給気用吸込み口５を介し、給気用吸込み口５近傍のフィルター１２を通って給気用ケーシング９内に引き込まれ、給気用ケーシング９から本体下面に設けられた給気用ケーシング吹出し口１０を介し室内側へと給気される。
【００４０】
かかる構成によれば、フィルター１２の折り目を縦方向にして、フィルター１２が捕捉した外気中の塵埃等がフィルター１２の折り目に引っかかり残留することを少なくし、フィルター１２の下方に設けた塵埃受け容器１３で塵埃等を受けるため、フィルター１２のお手入れの際、室内への塵埃等のこぼれ落ちを防ぎ、掃除性を向上できる。
【００４１】
また、フィルターユニット１１を給気ファン３より上流に設けたことにより給気ファン３への塵埃等の付着を防ぎ、給気風量の低下を防ぐことができ、さらに給気用吸込み口５の近傍に配設していることにより、本体２内部への塵埃等の侵入および付着を防ぐことができるため本体２を長寿命化することができる。
【００４２】
また、フィルター１２をフィルター枠体１４に着脱自在に設けたことにより、フィルター１２の交換が可能となり、定期的にフィルター１２を交換できるため性能を維持することができる。
【００４３】
また、フィルター枠体１４にフィルター１２の折り目方向と直交する方向にフィルター押さえ部１５を設けたことにより、フィルター１２の折り目による伸縮を利用し、容易にフィルター１２を着脱することができ、フィルター１２の着脱性を向上することができる。
【００４４】
また、塵埃受け容器１３の開口部に内側に向けて突壁を設けたことにより、捕捉した塵埃等が塵埃受け容器１３からこぼれ落ちにくくなり、フィルター１２のお手入れの際室内に塵埃等のこぼれ落ちを防ぎ、室内を汚すことを防ぐことができる。
【００４５】
また、塵埃受け容器１３を透明材料によって形成したことにより、塵埃等の捕捉程度を視覚で確認でき、性能維持のためのフィルターの掃除時期を容易に把握することができるとともに、清掃のためにフィルターユニット１１を外す際には目線より上の位置での作業となるが、内部が目視できるため作業性が向上する。
【００４６】
また、塵埃受け容器１３をフィルター枠体に着脱自在に設けたことにより、塵埃受け容器１３を取り外して洗浄することができ、狭小部まで洗浄することが可能となり、掃除性を向上することができる。
【００４７】
（実施の形態２）
図４は、本発明の実施の形態２におけるフィルター１２を示す斜視図である。図４に示すように、フィルター１２は、外気中の大き目の塵埃等を捕捉するプレフィルター１７と微細な塵埃等を捕捉する高性能フィルター１８を並べた構成としている。
【００４８】
かかる構成によれば、プレフィルター１７で大き目の塵埃等を捕捉するため、高性能フィルター１８に引っ掛かり残留する塵埃等を減らすことができ、さらにプレフィルター１７から落下した塵埃等を容器１３で受け取るため、フィルターのお手入れの際、室内への塵埃等のこぼれ落ちを防ぎ、掃除性を向上することができる効果が得られる。なお、プレフィルター１７があるので、高性能フィルター１８の折目方向は縦方向になくとも構わない。
【図面の簡単な説明】
【００４９】
【図１】本発明の実施の形態１における換気装置の斜視図
【図２】同換気装置の略断面図
【図３】同換気装置のフィルターユニットの構成を示す斜視図
【図４】同換気装置のプレフィルターを用いたフィルターの斜視図
【図５】従来の換気装置を示す略断面図
【符号の説明】
【００５０】
１      天井壁
２      本体
３      給気ファン
４      電動機
５      給気用吸込み口
６      ダクト接続部
７      ダクト
８      給気用吹出し口
９      給気用ケーシング
１０    給気用ケーシング吹出し口
１１    フィルターユニット
１２    フィルター
１３    塵埃受け容器
１４    フィルター枠体
１５    フィルター押さえ部
１６    突壁
１７    プレフィルター
１８    高性能フィルター
【図１】
2006242493.tif 000003
【図２】
2006242493.tif 000004
【図３】
2006242493.tif 000005
【図４】
2006242493.tif 000006
【図５】
2006242493.tif 000007